(57)【要約】【課題】簡易な方式により原稿台の空気孔から吸引する空気を生成することができ、皺伸ばしに係るコストを低く抑える。【解決手段】原稿載置面２に載置された原稿Ｐを撮影により読み取る画像入力装置１００であって、原稿載置面２に形成された吸引孔１と、該吸引孔１に内部空間３が連通された吸引袋４とを有し、吸引袋４は内部空間３に所定量の空気を貯留すべく弾性変形可能により形成され、吸引袋４には表面が外部から押圧されて弾性変形した状態で、前記内部空間３への空気の流入を防止する逆止弁６が設けられる。【選択図】図１
2018174365.tif 000002
【特許請求の範囲】
【請求項１】
原稿載置面に載置された原稿を撮影により読み取る画像入力装置であって、
前記原稿載置面に形成された吸引孔と、
該吸引孔に内部空間が連通された吸引袋と、を有し、
前記吸引袋は内部に所定量の空気を貯留する空間を有した定常状態で弾性変形可能により形成され、
前記吸引袋には、該吸引袋が外力を受けて弾性変形することにより、前記空間が前記定常状態より小さくなった状態で外部から前記空間への空気の流入を制限する逆止弁が設けられていることを特徴とする画像入力装置。
【請求項２】
前記原稿載置面の吸引孔は複数設けられ、平面視した場合にマトリックス状に配置されることを特徴とする請求項１に記載の画像入力装置。
【請求項３】
前記吸引袋は、前記原稿載置面の下部に配置されており、前記原稿載置面上に原稿を置く際の外力によって内部空間を縮小させることを特徴とする請求項１又は２のいずれか1項に記載の画像入力装置。
【請求項４】
前記原稿載置面は、複数の載置領域に分割され、各載置領域に対応して前記吸引袋が設置されることを特徴とする請求項３に記載の画像入力装置。
【請求項５】
前記複数の載置領域は、原稿位置合わせ用の基準点を角部に含む第１領域と、前記基準点とは反対側に位置する第１領域の周辺部に形成された第２領域とを有することを特徴とする請求項４に記載の画像入力装置。
【請求項６】
前記基準点とは反対側に位置する第２領域の周辺部には、単数又は複数の載置領域がさらに設けられることを特徴とする請求項５に記載の画像入力装置。
【請求項７】
前記吸引袋は、前記原稿載置面を有する載置台の外部に配置されており、操作者より加えられる押圧力によって内部空間を縮小させることを特徴とする請求項１又は２のいずれか1項に記載の画像入力装置。
【請求項８】
前記吸引袋と前記原稿載置面の吸引孔との間には空気を流通させる空気流通管が接続されていることを特徴とする請求項７に記載の画像入力装置。
【請求項９】
原稿載置面に載置された原稿を撮影により読み取る画像入力方法であって、
前記原稿載置面に吸引孔を形成する工程と、
内部に所定量の空気を貯留した定常状態で弾性変形可能な吸引袋を前記吸引孔に連通する工程と、
前記吸引袋に外力を加えることで弾性変形させながら該吸引袋内の空気を排出して該吸引袋を縮小させる工程と、
前記吸引袋への外力付与を停止することで、該吸引袋を弾性復元させ、これにより前記原稿載置面の吸引孔を通じて外部空気を吸引して、該原稿載置面上に原稿を密着させ、この状態で該原稿載置面上の原稿を撮影する工程と、を有することを特徴とする画像入力方法。
【発明の詳細な説明】
【技術分野】
【０００１】
本発明は、銀行等の金融機関で使用可能な画像入力装置及び画像入力方法に関する。
【背景技術】
【０００２】
テーブル上の原稿を間接的に読み取る装置として、特許文献１に示されるスタンド型スキャナ装置が知られている。
この特許文献１には、原稿が載置される原稿台の上方に配置されるスキャナヘッドと、このスキャナヘッド内に配設されて被写体の光学像を電気信号に変換する撮像素子と、被写体の光学像を前記撮像素子の撮像面に結像させるレンズ群と、を具備した構成が示されている。
【０００３】
ところで、特許文献１に示されるスタンド型スキャナ装置では、原稿台に、真っ直ぐでない皺の入った帳票が置かれることがある。
例えば、金融機関の窓口では、顧客自身の手の平で握られて皺の入った帳票が提出される場合がある。このような帳票は皺による凸凹があり、この凹凸により撮影画像に陰影が生じたり、字が歪んでしまうと不具合が発生していた。
【０００４】
そして、このような不具合を解決するために、特許文献２に示される非接触スキャナが提供されている。
この非接触スキャナは、原稿台の表面に形成された空気孔と、該空気孔から空気を吸引する空気吸引手段と、原稿台の表面に原稿が載置された際に該空気吸引手段を作動させて原稿台の表面に原稿を密着させる制御手段とを、有する構成である。
【先行技術文献】
【特許文献】
【０００５】
【特許文献１】特開２０１０−１０９７８４号公報
【特許文献２】特開２００９−２０６９０１号公報
【発明の概要】
【発明が解決しようとする課題】
【０００６】
しかしながら、特許文献２に示される非接触スキャナでは、原稿台の空気孔から吸引する空気を、電動の吸引ポンプにより生成しており、このような吸引ポンプの存在により、装置も大がかりなり部品点数も増大するという問題がある。
【０００７】
この発明は、上述した事情に鑑みてなされたものであって、簡易な方式により原稿台の空気孔から吸引する空気を生成することができ、皺伸ばしに係るコストを低く抑えることができる画像入力装置及び画像入力方法を提供する。
【課題を解決するための手段】
【０００８】
上記課題を解決するために、この発明は以下の手段を提案している。
本発明の第１形態は、原稿載置面に載置された原稿を撮影により読み取る画像入力装置であって、前記原稿載置面に形成された吸引孔と、該吸引孔に内部空間が連通された吸引袋とを有し、前記吸引袋は内部に所定量の空気を貯留する空間を有した定常状態で弾性変形可能により形成され、前記吸引袋には、該吸引袋が外力を受けて弾性変形することにより、前記空間が前記定常状態より小さくなった状態で外部から前記空間への空気の流入を制限する逆止弁が設けられていることを特徴とする。
【０００９】
本発明の第２形態は、原稿載置面に載置された原稿を撮影により読み取る画像入力方法であって、前記原稿載置面に吸引孔を形成する工程と、内部に所定量の空気を貯留した定常状態で弾性変形可能な吸引袋を前記吸引孔に連通する工程と、前記吸引袋に外力を加えることで弾性変形させながら該吸引袋内の空気を排出して該吸引袋を縮小させる工程と、前記吸引袋への外力付与を停止することで、該吸引袋を弾性復元させ、これにより前記原稿載置面の吸引孔を通じて外部空気を吸引して、該原稿載置面上に原稿を密着させ、この状態で該原稿載置面上の原稿を撮影する工程と、を有することを特徴とする。
【発明の効果】
【００１０】
本発明によれば、吸引ポンプを使用しない簡易な構成により、皺伸ばしに係る構成の低コスト化を図ることができる。
【図面の簡単な説明】
【００１１】
【図１】本発明に係る画像入力装置を示す斜視図である。
【図２】図１の吸引袋の動作を示す図である。
【図３】本発明の第１実施形態に係る画像入力装置を示す斜視図である。
【図４】図３の吸引袋に係る構成を示す斜視図である。
【図５】本発明の第２実施形態に係る画像入力装置を示す斜視図である。
【図６】図５の吸引袋の動作を示す図である。
【発明を実施するための形態】
【００１２】
本発明の最小構成について図１及び図２（Ａ）〜（Ｃ）を参照して説明する。
図１及び図２に示される画像入力装置１００では、吸引孔１が形成された原稿載置面２を含み、該吸引孔１に内部空間３が連通された吸引袋４を有している。
また、原稿載置面２の上方には、原稿の画像読み取りを行うためのイメージセンサ（図示略）を有する画像入力部１０が設けられている。このイメージセンサでは、原稿載置面２上に形成された視野領域Ｒを介して該原稿載置面２上の原稿画像が読み取られる。
【００１３】
なお、本例では、吸引袋４となるシート材５に吸引孔１が形成された例が示されているが、該吸引孔１は、原稿載置台の硬質の載置板内に形成し、該原稿載置台の下面との間に内部空間３を有するように吸引袋４となるシート材５を設置しても良い。
【００１４】
図１に示される吸引袋４では、シート材５で囲まれた内部空間３を有し、その上面に原稿Ｐが載置される原稿載置面２が形成されている。
また、吸引袋４のシート材５は、内部空間３に定常状態（外力により変形していない状態で）所定量の空気を貯留する形状であって、弾性変形可能な材料により形成されている。
また、この吸引袋４には、吸引袋４が押圧される等の外力を受けて弾性変形することにより、前記内部空間３が前記定常状態より小さくなった状態で外部から前記内部空間３への空気の流入を制限する（前記内部空間３が定常状態より小さくなる弾性変形の過程では、前記内部空間３の空気を袋外に排出する）逆止弁６が設けられている。
【００１５】
そして、以上の画像入力装置１００では、図２（Ａ）及び（Ｂ）に矢印（イ）で示されるように、例えば操作者により、吸引袋４の表面が外部から押圧された場合に、該吸引袋４に設置された逆止弁６を通じて（開状態となった逆止弁６を通じて）、該吸引袋４内の空気が外部に排出（矢印ａで示すように排出）されて該吸引袋４が縮小する。
【００１６】
その後、図２（Ｃ）に示されるように、操作者が吸引袋４の押圧を中止した場合には、逆止弁６を通じて吸引袋４内の空気が外部に排出されなくなって、逆止弁６が自動的に閉状態となると同時に、吸引袋４の弾性復元力により、該吸引袋４が膨らみ出し（矢印（ロ）で示す）、かつ該吸引袋４内に外部の空気が吸引（矢印ｂで示すように吸引）されることになる。
吸引袋４内に吸引される外部空気は、逆止弁６が閉状態にあることで、原稿載置面２に形成された吸引孔１を通じて導入される。
【００１７】
その結果、原稿載置面２上に載置された原稿Ｐは、外部空気が吸い込まれる原稿載置面２の吸引孔１に密着して、該原稿載置面２上に皺や浮きの無い状態で固定されることになる。そして、画像入力部１０では、原稿載置面２に吸着された状態の原稿Ｐを上方から撮影する。
すなわち、本発明の画像入力装置１００では、原稿載置面２に形成された吸引孔１と、内部空間３に所定量の空気を貯留すべく弾性変形可能により形成されかつその内部空間３が吸引孔１に連通された吸引袋４とを有する簡易な構成により、原稿載置面２の吸引孔１からの空気吸引を行うことができ、皺伸ばしに係る装置の低コスト化を図ることができる。
【００１８】
（第１実施形態）
本発明の第１実施形態について図３及び図４を参照して説明する。
図３及び図４に示される画像入力装置１０１では、複数の吸引孔１１がマトリックス状に形成された原稿載置面１２を含み、該吸引孔１１に内部空間１３が連通された吸引袋１４を有している。
なお、第１実施形態では、図１と同様、吸引袋１４となるシート材１５に吸引孔１１が形成された例が示されているが、該吸引孔１１は、原稿載置台となる硬質の載置板内に形成し、該原稿載置台の下面との間に内部空間１３を有するように吸引袋１４となるシート材１５を設置しても良い。
【００１９】
原稿載置面１２の上方には、図３に示されるように原稿Ｐの画像読み取りを行うための画像入力部２０が設けられている。
この画像入力部２０はスタンド型のアーム２１に設置されたものであって、該アーム２１の先端部には、イメージセンサが内蔵されている。
そして、このイメージセンサでは、原稿載置面１２上に形成された視野領域Ｒを介して該原稿載置面１２上の原稿画像を読み取るようにしている。
【００２０】
第１実施形態に係る吸引袋１４は、シート材１５で囲まれた内部空間１３を有し、その上面に原稿Ｐが載置される原稿載置面１２が形成されている。また、この吸引袋１４のシート材１５は、内部空間１３に所定量の空気を貯留すべく弾性変形可能な材料により形成されている。
【００２１】
さらに、第１実施形態に係る吸引袋１４は、図４に詳細に示すように原稿載置面１２にて区画された、複数の載置領域１２Ａ〜１２Ｃ（第１載置領域１２Ａ，第２載置領域１２Ｂ，第３載置領域１２Ｃ）に対応した吸引袋１４Ａ〜１４Ｃを有している。
第１載置領域１２Ａは、原稿位置合わせ用の基準点Ｌを角部に含む四角形状の領域であって、吸引袋１４Ａ上に設けられている。
第２載置領域１２Ｂは、基準点Ｌとは反対側に位置する第１領域の周辺部に形成されたＬ字状の領域であって、吸引袋１４Ｂ上に設けられている。
第３載置領域１２Ｃは、基準点Ｌとは反対側に位置する第２領域の周辺部に形成されたＬ字状の領域であって、吸引袋１４Ｃ上に設けられている。
【００２２】
そして、第１載置領域１２Ａでは比較的小さいサイズの原稿Ｐの読み取りが行われ、第１及び第２載置領域１２Ａ，１２Ｂでは中サイズの原稿Ｐの読み取りが行われ、また、第１〜第３載置領域１２Ａ〜１２Ｃでは比較的大きいサイズの原稿Ｐの読み取りが行われる。
なお、原稿読取りに際してはサイズに関係なく、基準点Ｌに角部を合わせて原稿載置面１２上に原稿Ｐを載置する。
また、本例では、第１載置領域１２Ａの外側に第２及び第３載置領域１２Ｂ，１２Ｃを設けるようにしたが、さらに多くの吸引袋を設置して、載置領域を区分しても良い。
【００２３】
また、原稿載置面１２の載置領域１２Ａ〜１２Ｃに対応した吸引袋１４（１４Ａ〜１４Ｃ）には、外部から押圧されて内部空気１３の圧力が大気圧よりも高くなったときに、開となって内部空間１３の空気を袋外に排出する逆止弁１６が設けられている。
この逆止弁１６は、吸引袋１４（１４Ａ〜１４Ｃ）に対応して３つの第１〜第３逆止弁１６Ａ〜１６Ｃから構成される。
また、逆止弁１６Ａ，１６Ｂと、該逆止弁１６Ａ，１６Ｂから離れた位置にある吸引袋１４Ａ，１４Ｂとの間は、空気流通管１７（１７Ａ，１７Ｂ）によりそれぞれ接続されている。
【００２４】
そして、以上の画像入力装置１０１では、例えば操作者により、吸引袋１４の表面が外部から押圧された場合に、該吸引袋１４に設置された逆止弁１６を通じて（開状態となった逆止弁１６を通じて）、該吸引袋１４内の空気が外部に排出（矢印ａで示すように排出）されて該吸引袋１４が縮小する。
このとき、原稿載置面１２の載置領域１２Ａ〜１２Ｃに載置する原稿Ｐの大きさに応じて、吸引袋１４（１４Ａ〜１４Ｃ）の押圧箇所が異なることから、押圧があった載置領域１２Ａ〜１２Ｃに接続される逆止弁１６（１６Ａ〜１６Ｃ）からのみ空気の排出が行われる。
【００２５】
具体的には、小さいサイズの原稿Ｐが、原稿載置面１２の載置領域１２Ａに載置された後、操作者により該載置領域１２Ａが押圧された場合には、吸引袋１４Ａ内のみの空気が逆止弁１６Ａを通じて外部に排出（矢印ａで示すように排出）されて、当該吸引袋１４Ａが縮小する。
また、中サイズの原稿Ｐが、原稿載置面１２の載置領域１２Ａ及び１２Ｂに載置された後、操作者により該載置領域１２Ａ、１２Ｂが押圧された場合には、吸引袋１４Ａ，１４Ｂ内の空気が逆止弁１６Ａ，１６Ｂを通じて外部に排出（矢印ａで示すように排出）されて、当該吸引袋１４Ａ，１４Ｂが縮小する。
また、大サイズの原稿Ｐが、原稿載置面１２の載置領域１２Ａ〜１２Ｃに載置された後、操作者により該載置領域１２Ａ〜１２Ｃが押圧された場合には、吸引袋１４Ａ〜１４Ｃ内の空気が逆止弁１６Ａ〜１６Ｃを通じて外部に排出（矢印ａで示すように排出）されて、当該吸引袋１４Ａ〜１４Ｃが縮小する。
【００２６】
その後、操作者が吸引袋１４の押圧を中止した場合には、逆止弁１６を通じて吸引袋１４内の空気が外部に排出されなくなって、逆止弁１６が自動的に閉状態となると同時に、吸引袋１４の弾性復元力により、該吸引袋１４が膨らみ出し、かつ該吸引袋１４内に外部の空気が吸引（矢印ｂで示すように吸引）される。
吸引袋１４内に吸引される外部空気は、逆止弁１６が閉状態にあることで、原稿載置面１２に形成された吸引孔１１を通じて導入される。
【００２７】
その結果、原稿載置面１２上に載置された原稿Ｐは、外部空気が吸い込まれる原稿載置面１２の吸引孔１１に密着して、該原稿載置面１２上に皺や浮きの無い状態で固定されることになる。
すなわち、本発明の画像入力装置１０１では、原稿載置面１２に形成された吸引孔１１と、内部空間１３に所定量の空気を貯留すべく弾性変形可能により形成されかつその内部空間１３が吸引孔１１に連通された吸引袋１４と、を有するという簡易な構成により、原稿載置面１２の吸引孔１１からの空気吸引を行うことができるので、皺伸ばしに係る装置の低コスト化を図ることができる。
また、本実施形態では、原稿Ｐの大きさに応じて吸引袋１４（１４Ａ〜１４Ｃ）を選択的に使用することができるので、無駄な動作が抑制され、結果として原稿載置面１２に載置された原稿Ｐの皺伸ばし／浮き発生防止を効率的に行うことができる。
【００２８】
（第２実施形態）
本発明の第２実施形態について図５及び図６を参照して説明する。
第２実施形態に示される画像入力装置１０２が、第１実施形態に示される画像入力装置１０１と構成に異にするのは、吸引袋３０に関する構成である。
【００２９】
吸引袋３０は、図５に示されるように原稿載置面４０Ａを有する原稿載置台４０の外部に配置され、かつ内部空間３１に所定量の空気を貯留すべく弾性変形可能な材料により形成されたものであって、操作者より加えられる押圧力によって内部空間３１を縮小させることができる。
ここで使用される原稿載置台４０として硬質の載置板４１が使用されており、この載置板４１には、第１実施形態の吸引孔１１と同様、マトリックス状となるように複数の吸引孔４２が配置されている。
これら複数の吸引孔４２と、吸引袋３０の内部空間３１との間には、空気の流通経路となる空気流通管３２が設置されている。
【００３０】
また、吸引袋３０には図６に示されるように一対の逆止弁３３及び３４が設けられている。
逆止弁３３は、外部から押圧されて内部空気３１の圧力が大気圧よりも高くなったときに、開となって内部空間３１の空気を袋外に排出する。
逆止弁３４は、吸引孔４２に通じる空気流通管３２の途中に設けられたものであって、吸引袋３０を押圧した後、弾性復元力により吸引袋３０が膨らみ出して、内部空間３１の圧力が負圧となったときに、開となって吸引孔４２を通じた空気吸引を行う。
【００３１】
以上のように構成された画像入力装置１０２の動作について図６（Ａ）〜（Ｄ）を参照して説明する。
まず、矢印（イ）で示されるように、例えば操作者の手により、吸引袋３０の表面が外部から押圧されると、吸引袋３０では、矢印ａで示されるように、押圧で開状態となった逆止弁３３を通じて、内部空間３１の空気が外部に排出されて該吸引袋３０が縮小する（図６（Ａ）〜（Ｂ）参照）。
その際、吸引袋３０では、内部空間３１側の圧力が高いため、吸引孔４２に通じる空気流通管３２の途中の逆止弁３４が閉状態となる。
【００３２】
その後、操作者が吸引袋３０の押圧を中止した場合には、逆止弁３３を通じて吸引袋３０内の空気が外部に排出されなくなって、逆止弁３３が自動的に閉状態となると同時に、吸引袋３０の弾性復元力により、該吸引袋３０が膨らみ出す（図６（Ｂ）〜（Ｃ）参照）。
そして、弾性復元力による吸引袋３０の膨らみにより、内部空間３１の圧力が負圧となり、これにより吸引孔４２に通じる空気流通管３２の途中の逆止弁３４が開状態となる。
すなわち、逆止弁３３が閉状態、逆止弁３４が開状態となることで、吸引袋３０内には、矢印ｃで示すように、原稿載置面４０Ａに形成された吸引孔４２を通じて外気が導入されることになる（図６（Ｃ）〜（Ｄ）参照）。
【００３３】
その結果、原稿載置面４０Ａ上に載置された原稿は、外部空気が吸い込まれる原稿載置面４０Ａの吸引孔４２に密着して、該原稿載置面４０Ａ上に皺や浮きの無い状態で固定される。
すなわち、本実施形態の画像入力装置１０２では、原稿載置台４０に形成された吸引孔４２と、内部空間３１に所定量の空気を貯留すべく弾性変形可能により形成されかつその内部空間３１が吸引孔４２に連通された吸引袋３０とからなる簡易な構成により、原稿載置台４０の吸引孔４２からの空気吸引が可能となるので、皺伸ばしに係る装置の低コスト化を図ることができる。
【００３４】
なお、第２実施形態では、吸引孔４２に通じる空気流通管３２の途中に逆止弁３４を設けたが、適宜省略しても良い。
【００３５】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３６】
本発明は、銀行等の金融機関で使用可能な画像入力装置及び画像入力方法に関する。
【符号の説明】
【００３７】
１  吸引孔
２  原稿載置面
３  内部空間
４  吸引袋
５  シート材
６  逆止弁
１０  画像入力部
１１  吸引孔
１２  原稿載置面
１２Ａ  載置領域
１２Ｂ  載置領域
１２Ｃ  載置領域
１３  内部空間
１４（１４Ａ〜１４Ｃ）  吸引袋
１５  シート材
１６（１６Ａ〜１６Ｃ）  逆止弁
２０  画像入力部
３０  吸引袋
３１  内部空間
３３  逆止弁
４０  原稿載置台
４０Ａ  原稿載置面
４１  載置板
４２  吸引孔
１００  画像入力装置
１０１  画像入力装置
１０１  画像入力装置
Ｐ  原稿
Ｒ  視野領域
【図１】
2018174365.tif 000003
【図２】
2018174365.tif 000004
【図３】
2018174365.tif 000005
【図４】
2018174365.tif 000006
【図５】
2018174365.tif 000007
【図６】
2018174365.tif 000008